(57)【特許請求の範囲】
【請求項１】
ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、
画情報受信時、受信した画情報を蓄積する画情報蓄積手段と、
所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、その中継宛先が、それぞれの中継ボックスで重複している場合、当該中継宛先へは１回の中継送信動作のみを行う中継送信制御手段を備えたことを特徴とする画像通信装置。
【請求項２】
ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、
画情報受信時、受信した画情報を蓄積する画情報蓄積手段と、
同一中継宛先へ、同一中継画情報を複数回送信する重複送信動作を禁止するか否かを登録する重複送信不可設定手段と、
所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、上記重複送信不可設定手段に、重複送信の禁止が登録されているときには、それぞれの中継ボックスで重複している中継宛先については、中継送信動作を１回のみを行う一方、上記重複送信不可設定手段に、重複送信の禁止が登録されていないときには、それぞれの中継ボックスに登録されているおのおのの中継宛先について、それぞれ中継送信動作を行う中継送信制御手段を備えたことを特徴とする画像通信装置。
【請求項３】
ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、
画情報受信時、受信した画情報を蓄積する画情報蓄積手段と、
所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、上記信号ＳＵＢのフレームに所定の重複送信動作禁止指定情報が含まれているときには、それぞれの中継ボックスで重複している中継宛先については、中継送信動作を１回のみを行う一方、上記信号ＳＵＢのフレームに所定の重複送信動作禁止指定情報が含まれていないときには、それぞれの中継ボックスに登録されているおのおのの中継宛先について、それぞれ中継送信動作を行う中継送信制御手段を備えたことを特徴とする画像通信装置。
【発明の詳細な説明】
【０００１】
【発明の属する技術分野】
本発明は、ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置に関する。
【０００２】
【従来の技術】
グループ３ファクシミリ装置のように、ＩＴＵ−Ｔ勧告Ｔ．３０，Ｔ．３３に準拠した通信機能を備え、複数のＳＵＢ値を含むフレームを備えた信号ＳＵＢを受信し、その信号ＳＵＢのフレームに含まれるおのおののＳＵＢ値に対応した通信アプリケーションを実行する画像通信装置では、その通信アプリケーションとして、受信ボックスを利用した中継送信サービスなどが実現されている。
【０００３】
このような機能を利用すると、１回の通信で、複数宛先に対して同一文書の中継送信サービスを行うことができるので、通信コストを低減できるとともに、通信サービスの有用性を向上することができる。
【０００４】
【発明が解決しようとする課題】
ところで、複数のＳＵＢ値にそれぞれ対応して登録されている複数の中継宛先の中に、重複するものがある場合、従来では、同一画情報（中継画情報）が、同一宛先に複数回、無条件に送信されるという不具合を生じていた。
【０００５】
本発明は、かかる実情に鑑みてなされたものであり、複数のＳＵＢ値にそれぞれ対応して登録されている複数の中継宛先の中に、重複するものがある場合の中継送信動作を適切に行うことができるようにした画情報通信装置を提供することを目的としている。
【０００６】
【課題を解決するための手段】
本発明は、ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、画情報受信時、受信した画情報を蓄積する画情報蓄積手段と、所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、その中継宛先が、それぞれの中継ボックスで重複している場合、当該中継宛先へは１回の中継送信動作のみを行う中継送信制御手段を備えたものである。
【００１１】
また、ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、画情報受信時、受信した画情報を蓄積する画情報蓄積手段と、同一中継宛先へ、同一中継画情報を複数回送信する重複送信動作を禁止するか否かを登録する重複送信不可設定手段と、所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、上記重複送信不可設定手段に、重複送信の禁止が登録されているときには、それぞれの中継ボックスで重複している中継宛先については、中継送信動作を１回のみを行う一方、上記重複送信不可設定手段に、重複送信の禁止が登録されていないときには、それぞれの中継ボックスに登録されているおのおのの中継宛先について、それぞれ中継送信動作を行う中継送信制御手段を備えたものである。
【００１２】
また、ＩＴＵ−Ｔ勧告Ｔ．３０に準拠した通信機能を備え、所定の識別情報を持つとともに１つ以上の中継宛先が登録された中継ボックスを複数有すとともに、その中継ボックスを用いた中継送信動作を行う画像通信装置において、画情報受信時、受信した画情報を蓄積する画情報蓄積手段と、所定形式で複数のＳＩＤ値を含むフレームを備えた信号ＳＩＤを受信すると、その信号ＳＩＤのフレームに含まれるおのおののＳＩＤ値を取り出し、その取り出したＳＩＤ値に対応した識別情報を持つ上記中継ボックスのおのおのに登録されている上記１つ以上の中継宛先について、上記画情報蓄積手段に蓄積した画情報を中継送信するとともに、上記信号ＳＵＢのフレームに所定の重複送信動作禁止指定情報が含まれているときには、それぞれの中継ボックスで重複している中継宛先については、中継送信動作を１回のみを行う一方、上記信号ＳＵＢのフレームに所定の重複送信動作禁止指定情報が含まれていないときには、それぞれの中継ボックスに登録されているおのおのの中継宛先について、それぞれ中継送信動作を行う中継送信制御手段を備えたものである。
【００１３】
【発明の実施の形態】
以下、添付図面を参照しながら、本発明の実施の形態を詳細に説明する。
【００１４】
図１は、本発明の一実施例にかかるグループ３ファクシミリ装置を示している。
【００１５】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１６】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００１７】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１８】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１９】
網制御装置１１は、このファクシミリ装置を公衆電話回線網に接続するためのものであり、自動発着信機能を備えている。
【００２０】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２１】
また、網制御装置１１とグループ３ファクシミリモデム１０との間のデータのやりとりは、直接行なわれている。
【００２２】
さて、このグループ３ファクシミリ装置は、受信時に相手端末へ種々の通信サービスを提供する受信ボックス機能を備えている。この場合、通信サービスとは、中継送信サービスなどである。
【００２３】
また、おのおのの受信ボックスには、例えば、図２に示したような受信ボックスに関するボックス管理情報が定義される。
【００２４】
このボックス管理情報は、おのおのの受信ボックスを区別するためのボックス番号、その受信ボックスに登録されている通信機能を記憶するためのボックス属性情報、および、その受信ボックスに登録されている通信機能に必要な種々のパラメータ情報などからなる。
【００２５】
この場合、通信機能として中継送信機能が設定される場合、ボックス属性情報には、「中継ボックス」が登録され、また、パラメータ情報としては、登録されている中継宛先の数をあらわす中継宛先数と、登録されている複数の中継宛先をあらわす中継宛先情報からなる。
【００２６】
また、着信時、相手端末より中継送信が指示されると、そのときに指定された中継ボックスに登録されている中継宛先情報を取り出して、図３に示すような配信用送信ファイル管理情報を作成する。
【００２７】
この配信用送信ファイル管理情報は、おのおのの配信用送信ファイル管理情報を区別するためのＩＤ、中継送信する画情報ファイルを記憶するための画情報ファイル番号、中継送信する宛先数をあらわす送信宛先数、および、１つ以上の宛先情報からなる宛先情報テーブル。また、宛先情報テーブルの各要素は、信号ＳＵＢで通知された１つ以上のＳＵＢ値に対応した受信ボックスに登録されている中継宛先情報である。
【００２８】
さて、このグループ３ファクシミリ装置では、ＩＴＵ−Ｔ勧告Ｔ．３３に規定されている複数ＳＵＢ値対応アプリケーション機能を備えている。ＩＴＵ−Ｔ勧告Ｔ．３３では、信号ＳＵＢの情報フレームに次のようなフォーマットで複数のＳＵＢ値を格納できるようにしている。
【００２９】
フォーマット１：『（ＳＵＢ値１）＃（ＳＵＢ値２）＃・・・（ＳＵＢ値ｍ）』
【００３０】
フォーマット２：『（ＳＵＢ値１）＃＃（ＳＵＢ値２）＃＃・・・（ＳＵＢ値ｍ）』
【００３１】
ここで、信号ＳＵＢの情報フレームの長さは、２０桁に規定されているので、各フォーマットで記述されたＳＵＢ値の長さが全体で２０桁に満たない場合には、その満たない部分に「０」がフィルされる。
【００３２】
したがって、ＳＵＢ値の桁数を４桁に規定した場合には、フォーマット１の場合には、４つまでのＳＵＢ値を格納でき、また、フォーマット２の場合には、３つまでのＳＵＢ値を格納することができる。
【００３３】
以上の構成で、このグループ３ファクシミリ装置は、着信検出すると、図４および図５に示したような動作を行う。
【００３４】
着信検出すると（処理１０１）、着信応答し（処理１０２）、所定のグループ３ファクシミリ伝送手順（ＩＴＵ−Ｔ勧告Ｔ．３０手順）の伝送前手順を実行して（処理１０３）、相手端末との間で使用する伝送機能などを交渉する。
【００３５】
ここで、伝送前手順の処理１０３で信号ＳＵＢを受信したかどうかを調べる（判断１０４）。伝送前手順で信号ＳＵＢを受信しなかった場合で、判断１０４の結果がＮＯになるときには、通常の着信時の処理を実行して（処理１０５）、この動作を終了する。
【００３６】
また、伝送前手順で信号ＳＵＢを受信した場合で、判断１０４の結果がＹＥＳになるときには、所定のモデムトレーニング手順を実行して使用するモデム速度を決定し（処理１０６）、所定の手順に従って画情報を受信して画像蓄積装置９に蓄積する（処理１０７）。このとき、所定の蓄積管理情報（図示略）などを作成記憶する。
【００３７】
画情報受信を終了すると、所定の伝送後手順を実行して（処理１０８）、回線を復旧する（処理１０９）。
【００３８】
次いで、受信した信号ＳＵＢの情報フィールドを解析して（処理１１０）、複数ＳＵＢ値が含まれているかどうかを調べる（判断１１１）。受信した信号ＳＵＢの情報フィールドに１つのＳＵＢ値のみが含まれる場合で、判断１１１の結果がＮＯになるときには、そのＳＵＢ値に対応したボックス情報を参照し、対応する通信動作を実行して（処理１１２）、この動作を終了する。
【００３９】
また、受信した信号ＳＵＢの情報フィールドに複数のＳＵＢ値が含まれる場合で、判断１１１の結果がＹＥＳになるときには、そのＳＵＢ値を抽出し（処理１１３）、それらのＳＵＢ値に対応した受信ボックスが、全て中継ボックスであるかどうかを調べる（判断１１４）。抽出したＳＵＢ値に対応した受信ボックスのいずれか１つ以上が中継ボックスではなく、判断１１４の結果がＮＯになるときには、それぞれの受信ボックスに登録されている通信動作を実行して（処理１１５）、この動作を終了する。
【００４０】
抽出したＳＵＢ値に対応した受信ボックスの全てが中継ボックスであり、判断１１４の結果がＹＥＳになるときには、それぞれの受信ボックスから宛先情報テーブルを取り出し（処理１１６）、おのおのの受信ボックスに登録されている全ての宛先情報を取得する。
【００４１】
ここで、このグループ３ファクシミリ装置に設定されている重複送信不可設定情報を読み出す（処理１１７）。この重複送信不可設定情報は、同一宛先に対して同一画情報を複数回送信する重複送信動作を禁止するか許可するかを設定登録するものであり、このグループ３ファクシミリ装置のユーザが適宜に操作設定することができ、その操作内容は、パラメータメモリ３の適宜な領域に保存される。
【００４２】
ここで、重複送信不可設定情報に重複送信動作の禁止が登録されている場合で、判断１１８の結果がＹＥＳになるときには、処理１１６で取得した全ての宛先情報から、重複する宛先情報を１つのみ残して削除する（処理１１９）。
【００４３】
一方、重複送信不可設定情報に重複送信動作の許可が登録されている場合で、判断１１８の結果がＮＯになるときには、処理１１９を実行しない。したがって、この場合には、重複送信動作が実行される。
【００４４】
次いで、そのときに得られた複数の宛先情報に基づき、上述した配信用送信ファイル管理情報を作成し（処理１２０）、所定の中継送信動作を起動して（処理１２１）、この動作を終了する。
【００４５】
図６は、中継送信動作の一例を示している。
【００４６】
まず、指定された配信用送信ファイル管理情報から宛先情報を１つ選択し（処理２０１）、その選択した宛先へ発呼する（処理２０２）。
【００４７】
次いで、所定の伝送前手順を実行して、使用する伝送機能を設定し（処理２０３）、所定のモデムトレーニング手順を実行してそのときに使用するモデム速度を決定した後に（処理２０５）、指定された配信用送信ファイル管理情報に登録されている画情報ファイルを、所定の中継送信モード動作を適用して送信する（処理２０５）。この中継送信モード動作とは、例えば、ＴＴＩを中継依頼端末のものを適用したり、あるいは、画情報の先頭にＴＴＩ画像を付加しないなど、中継送信に適した送信動作である。
【００４８】
画情報送信を終了すると、所定の伝送後手順を実行し（処理２０６）、回線を復旧して（処理２０７）、このときに選択した宛先への中継送信動作を終了する。
【００４９】
ここで、全ての中継宛先について中継送信動作を終了したかどうかを調べ（判断２０８）、判断２０８の結果がＮＯになるときには、処理２０１に戻り、残りの宛先情報から１つを選択し、その宛先に対して中継送信動作を実行する。
【００５０】
また、全ての中継宛先について中継送信動作を終了した場合で、判断２０８の結果がＹＥＳになるときには、そのときの中継送信の対象の画情報を画像蓄積装置９より消去して（処理２０９）、この中継送信動作を終了する。
【００５１】
このようにして、本実施例では、着信時に複数のＳＵＢ値を有する信号ＳＵＢを受信し、その複数のＳＵＢ値に対応した全ての受信ボックスが中継ボックスの場合、それらの全ての受信ボックスに登録されている中継宛先について、受信した画情報を中継送信する動作を行うとともに、重複送信不可設定情報に重複送信動作の禁止が登録されている場合には、重複する中継宛先への中継送信動作を１回のみ行うようにしているので、このグループ３ファクシミリ装置のユーザの意図に沿った中継送信動作を行うことができ、非常に便利である。
【００５２】
ところで、上述した実施例では、中継送信を行うグループ３ファクシミリ装置側で、重複送信を禁止するかあるいは許可するかを設定するようにしているが、中継送信を依頼する側のユーザが、重複送信について禁止または許可を選択するようにすることが好ましい場合がある。
【００５３】
その場合には、例えば、信号ＳＵＢの情報フレームに含める複数ＳＵＢ値の最後に、重複送信を禁止するかあるいは許可するかを指定する特定の文字列からなる重複送信不可指定情報をセットするようにするとよい。
【００５４】
この重複送信不可指定情報の文字列としては、例えば、重複送信を禁止する場合には「＊１」を、重複送信を許可する場合には「＊２」を適用することができる。
【００５５】
したがって、この場合においては、中継送信依頼側では、ユーザに重複送信を禁止するか許可するかを問い合わせ、重複送信を禁止する旨が指定された場合には、重複送信不可指定情報として信号ＳＵＢに「＊１」をセットし、また、重複送信を許可する旨が指定された場合には、重複送信不可指定情報として信号ＳＵＢに「＊２」をセットする。
【００５６】
なお、中継送信依頼側のグループ３ファクシミリ装置の設定情報として、ユーザが重複送信不可あるいは許可を登録できるようにしてもよい。その場合、ユーザにより重複送信不可が登録されていれば、中継送信依頼時に常に重複送信不可指定情報として信号ＳＵＢに「＊１」をセットし、ユーザにより重複送信許可が登録されていれば、中継送信依頼時に常に重複送信不可指定情報として信号ＳＵＢに「＊２」をセットする。
【００５７】
この場合において、このグループ３ファクシミリ装置が着信検出したときに実行する処理の一例を図７および図８に示す。
【００５８】
着信検出すると（処理３０１）、着信応答し（処理３０２）、所定のグループ３ファクシミリ伝送手順（ＩＴＵ−Ｔ勧告Ｔ．３０手順）の伝送前手順を実行して（処理３０３）、相手端末との間で使用する伝送機能などを交渉する。
【００５９】
ここで、伝送前手順の処理３０３で信号ＳＵＢを受信したかどうかを調べる（判断３０４）。伝送前手順で信号ＳＵＢを受信しなかった場合で、判断３０４の結果がＮＯになるときには、通常の着信時の処理を実行して（処理３０５）、この動作を終了する。
【００６０】
また、伝送前手順で信号ＳＵＢを受信した場合で、判断３０４の結果がＹＥＳになるときには、所定のモデムトレーニング手順を実行して使用するモデム速度を決定し（処理３０６）、所定の手順に従って画情報を受信して画像蓄積装置９に蓄積する（処理３０７）。このとき、所定の蓄積管理情報（図示略）などを作成記憶する。
【００６１】
画情報受信を終了すると、所定の伝送後手順を実行して（処理３０８）、回線を復旧する（処理３０９）。
【００６２】
次いで、受信した信号ＳＵＢの情報フィールドを解析して（処理３１０）、複数ＳＵＢ値が含まれているかどうかを調べる（判断３１１）。受信した信号ＳＵＢの情報フィールドに１つのＳＵＢ値のみが含まれる場合で、判断３１１の結果がＮＯになるときには、そのＳＵＢ値に対応したボックス情報を参照し、対応する通信動作を実行して（処理３１２）、この動作を終了する。
【００６３】
また、受信した信号ＳＵＢの情報フィールドに複数のＳＵＢ値が含まれる場合で、判断３１１の結果がＹＥＳになるときには、そのＳＵＢ値を抽出し（処理３１３）、それらのＳＵＢ値に対応した受信ボックスが、全て中継ボックスであるかどうかを調べる（判断３１４）。抽出したＳＵＢ値に対応した受信ボックスのいずれか１つ以上が中継ボックスではなく、判断３１４の結果がＮＯになるときには、それぞれの受信ボックスに登録されている通信動作を実行して（処理３１５）、この動作を終了する。
【００６４】
抽出したＳＵＢ値に対応した受信ボックスの全てが中継ボックスであり、判断３１４の結果がＹＥＳになるときには、それぞれの受信ボックスから宛先情報テーブルを取り出し（処理３１６）、おのおのの受信ボックスに登録されている全ての宛先情報を取得する。
【００６５】
そして、信号ＳＵＢの情報フィールドに付加されていた重複送信不可指定情報の内容を読み込む（処理３１７）。
【００６６】
ここで、重複送信不可指定情報の値が重複送信動作の禁止をあらわす場合で、判断３１８の結果がＹＥＳになるときには、処理３１６で取得した全ての宛先情報から、重複する宛先情報を１つのみ残して削除する（処理３１９）。
【００６７】
一方、重複送信不可指定情報の値が重複送信動作の許可をあらわす場合で、判断３１８の結果がＮＯになるときには、処理３１９を実行しない。したがって、この場合には、重複送信動作が実行される。
【００６８】
次いで、そのときに得られた複数の宛先情報に基づき、上述した配信用送信ファイル管理情報を作成し（処理３２０）、所定の中継送信動作を起動して（処理３２１）、この動作を終了する。
【００６９】
このようにして、本実施例では、中継依頼局側で重複送信を許可するかあるいは禁止するかを指定することができるので、送信ユーザの意図に沿った中継送信動作を行うことができる。
【００７０】
ところで、上述した実施例では、ＩＴＵ−Ｔ勧告Ｔ．３３に従った複数ＳＵＢ値を有する信号ＳＵＢを適用して、複数の中継ボックスを指定するようにしているが、信号ＳＵＢと同様な情報を運ぶ信号として、ＩＴＵ−Ｔ勧告Ｔ．３０には、信号ＳＩＤが規定されている。
【００７１】
この信号ＳＩＤは、本来、選択ポーリング送信要求などの際にパスワードを運ぶものとして使用されるものであるが、他の用途に使用しても問題ないものである。
【００７２】
そこで、本実施例では、次のようなフォーマットで、信号ＳＩＤに複数の受信ボックス番号を指定する情報をセットできるようにする。
【００７３】
フォーマット１：『（機能指定情報）（ボックス番号１）＃（ボックス番号２）＃・・・（ボックス番号ｍ）』
【００７４】
フォーマット２：『（機能指定情報）（ボックス番号１）＃＃（ボックス番号）＃＃・・・（ボックス番号ｍ）』
【００７５】
ここで、機能指定情報とは、当該信号ＳＩＤの内容が、ボックス番号を運ぶものである旨を表示するためのものであり、所定の文字列（例えば、「＊＊＊＊」など）からなるものである。
【００７６】
そして、中継送信依頼側では、中継送信依頼の送信動作時、中継装置に登録されている中継ボックスのボックス番号を指定する際、ユーザから指定されたボックス番号を信号ＳＩＤにセットして、上記フォーマット１またはフォーマット２を適用し、送信する。
【００７７】
この場合において、このグループ３ファクシミリ装置が着信検出したときに実行する処理の一例を図９および図１０に示す。
【００７８】
着信検出すると（処理４０１）、着信応答し（処理４０２）、所定のグループ３ファクシミリ伝送手順（ＩＴＵ−Ｔ勧告Ｔ．３０手順）の伝送前手順を実行して（処理４０３）、相手端末との間で使用する伝送機能などを交渉する。
【００７９】
ここで、伝送前手順の処理４０３で信号ＳＩＤを受信したかどうかを調べる（判断４０４）。伝送前手順で信号ＳＩＤを受信しなかった場合で、判断４０４の結果がＮＯになるときには、通常の着信時の処理を実行して（処理４０５）、この動作を終了する。
【００８０】
また、伝送前手順で信号ＳＩＤを受信した場合で、判断４０４の結果がＹＥＳになるときには、所定のモデムトレーニング手順を実行して使用するモデム速度を決定し（処理４０６）、所定の手順に従って画情報を受信して画像蓄積装置９に蓄積する（処理４０７）。このとき、所定の蓄積管理情報（図示略）などを作成記憶する。
【００８１】
画情報受信を終了すると、所定の伝送後手順を実行して（処理４０８）、回線を復旧する（処理４０９）。
【００８２】
次いで、受信した信号ＳＩＤの情報フィールドを解析して（処理４１０）、機能識別情報を調べ、中継ボックス（受信ボックス）を指定するボックス番号を運ぶものであるかどうかを調べる（判断４１１）。ここで、受信した信号ＳＩＤの内容が中継ボックスを指定するボックス番号を運ぶものではなく、判断４１１の結果がＮＯになるときには、このときの動作を終了する。また、この場合、蓄積した受信画情報は消去する。
【００８３】
また、受信した信号ＳＩＤの内容が中継ボックスを指定するボックス番号を運ぶものであり、判断４１１の結果がＹＥＳになるときには、そのボックス番号を抽出し（処理４１２）、それらのボックス番号に対応した受信ボックスが、全て中継ボックスであるかどうかを調べる（判断４１３）。抽出したボックス番号に対応した受信ボックスのいずれか１つ以上が中継ボックスではなく、判断４１３の結果がＮＯになるときには、このときの動作を終了する。また、この場合、蓄積した受信画情報は消去する。
【００８４】
抽出したボックス番号に対応した受信ボックスが、全て中継ボックスであり、判断４１３の結果がＹＥＳになるときには、それぞれの中継ボックスから宛先情報テーブルを取り出し（処理４１６）、おのおのの中継ボックスに登録されている全ての宛先情報を取得する。
【００８５】
ここで、このグループ３ファクシミリ装置に設定されている重複送信不可設定情報を読み出す（処理４１７）。この重複送信不可設定情報は、同一宛先に対して同一画情報を複数回送信する重複送信動作を禁止するか許可するかを設定登録するものであり、このグループ３ファクシミリ装置のユーザが適宜に操作設定することができ、その操作内容は、パラメータメモリ３の適宜な領域に保存される。
【００８６】
ここで、重複送信不可設定情報に重複送信動作の禁止が登録されている場合で、判断４１８の結果がＹＥＳになるときには、処理４１６で取得した全ての宛先情報から、重複する宛先情報を１つのみ残して削除する（処理４１９）。
【００８７】
一方、重複送信不可設定情報に重複送信動作の許可が登録されている場合で、判断４１８の結果がＮＯになるときには、処理４１９を実行しない。したがって、この場合には、重複送信動作が実行される。
【００８８】
次いで、そのときに得られた複数の宛先情報に基づき、上述した配信用送信ファイル管理情報を作成し（処理４２０）、所定の中継送信動作を起動して（処理４２１）、この動作を終了する。
【００８９】
ところで、上述した実施例では、中継送信を行うグループ３ファクシミリ装置側で、重複送信を禁止するかあるいは許可するかを設定するようにしているが、中継送信を依頼する側のユーザが、重複送信について禁止または許可を選択するようにすることが好ましい場合がある。
【００９０】
その場合には、例えば、信号ＳＩＤの情報フレームに含める複数ボックス番号の最後に、重複送信を禁止するかあるいは許可するかを指定する特定の文字列からなる重複送信不可指定情報をセットするようにするとよい。
【００９１】
この重複送信不可指定情報の文字列としては、例えば、重複送信を禁止する場合には「＊１」を、重複送信を許可する場合には「＊２」を適用することができる。
【００９２】
したがって、この場合においては、中継送信依頼側では、中継送信依頼の送信動作時、中継装置に登録されている中継ボックスのボックス番号を指定する際、ユーザから指定されたボックス番号を信号ＳＩＤにセットして、上記フォーマット１またはフォーマット２を適用し、送信する。
【００９３】
それとともに、中継送信依頼側では、ユーザに重複送信を禁止するか許可するかを問い合わせ、重複送信を禁止する旨が指定された場合には、重複送信不可指定情報として信号ＳＩＤに「＊１」をセットし、また、重複送信を許可する旨が指定された場合には、重複送信不可指定情報として信号ＳＩＤに「＊２」をセットする。
【００９４】
なお、中継送信依頼側のグループ３ファクシミリ装置の設定情報として、ユーザが重複送信不可あるいは許可を登録できるようにしてもよい。その場合、ユーザにより重複送信不可が登録されていれば、中継送信依頼時に常に重複送信不可指定情報として信号ＳＩＤに「＊１」をセットし、ユーザにより重複送信許可が登録されていれば、中継送信依頼時に常に重複送信不可指定情報として信号ＳＩＤに「＊２」をセットする。
【００９５】
この場合において、このグループ３ファクシミリ装置が着信検出したときに実行する処理の一例を図１１および図１２に示す。
【００９６】
着信検出すると（処理５０１）、着信応答し（処理５０２）、所定のグループ３ファクシミリ伝送手順（ＩＴＵ−Ｔ勧告Ｔ．３０手順）の伝送前手順を実行して（処理５０３）、相手端末との間で使用する伝送機能などを交渉する。
【００９７】
ここで、伝送前手順の処理５０３で信号ＳＩＤを受信したかどうかを調べる（判断５０４）。伝送前手順で信号ＳＩＤを受信しなかった場合で、判断５０４の結果がＮＯになるときには、通常の着信時の処理を実行して（処理５０５）、この動作を終了する。
【００９８】
また、伝送前手順で信号ＳＩＤを受信した場合で、判断５０４の結果がＹＥＳになるときには、所定のモデムトレーニング手順を実行して使用するモデム速度を決定し（処理５０６）、所定の手順に従って画情報を受信して画像蓄積装置９に蓄積する（処理５０７）。このとき、所定の蓄積管理情報（図示略）などを作成記憶する。
【００９９】
画情報受信を終了すると、所定の伝送後手順を実行して（処理５０８）、回線を復旧する（処理５０９）。
【０１００】
次いで、受信した信号ＳＩＤの情報フィールドを解析して（処理５１０）、機能識別情報を調べ、中継ボックス（受信ボックス）を指定するボックス番号を運ぶものであるかどうかを調べる（判断５１１）。ここで、受信した信号ＳＩＤの内容が中継ボックスを指定するボックス番号を運ぶものではなく、判断５１１の結果がＮＯになるときには、このときの動作を終了する。また、この場合、蓄積した受信画情報は消去する。
【０１０１】
また、受信した信号ＳＩＤの内容が中継ボックスを指定するボックス番号を運ぶものであり、判断５１１の結果がＹＥＳになるときには、そのボックス番号を抽出し（処理５１２）、それらのボックス番号に対応した受信ボックスが、全て中継ボックスであるかどうかを調べる（判断５１３）。抽出したボックス番号に対応した受信ボックスのいずれか１つ以上が中継ボックスではなく、判断５１３の結果がＮＯになるときには、このときの動作を終了する。また、この場合、蓄積した受信画情報は消去する。
【０１０２】
抽出したボックス番号に対応した受信ボックスが、全て中継ボックスであり、判断５１３の結果がＹＥＳになるときには、それぞれの中継ボックスから宛先情報テーブルを取り出し（処理５１６）、おのおのの中継ボックスに登録されている全ての宛先情報を取得する。
【０１０３】
次いで、信号ＳＩＤの情報フィールドに付加されていた重複送信不可指定情報の内容を読み込む（処理５１７）。
【０１０４】
ここで、重複送信不可設定情報に重複送信動作の禁止が登録されている場合で、判断５１８の結果がＹＥＳになるときには、処理５１６で取得した全ての宛先情報から、重複する宛先情報を１つのみ残して削除する（処理５１９）。
【０１０５】
一方、重複送信不可設定情報に重複送信動作の許可が登録されている場合で、判断５１８の結果がＮＯになるときには、処理５１９を実行しない。したがって、この場合には、重複送信動作が実行される。
【０１０６】
次いで、そのときに得られた複数の宛先情報に基づき、上述した配信用送信ファイル管理情報を作成し（処理５２０）、所定の中継送信動作を起動して（処理５２１）、この動作を終了する。
【０１０７】
ところで、上述した実施例では、信号ＳＵＢに複数ＳＵＢ値を含めるときのフォーマットとして、ＩＴＵ−Ｔ勧告Ｔ．３３に準拠したものを適用しているが、任意のフォーマットを適用できる。また、信号ＳＩＤに複数ボックス番号を含めるときのフォーマットも、他の任意のものを適用することができる。
【０１０８】
また、上述した実施例では、本発明をグループ３ファクシミリ装置に適用しているが、同等の通信機能を備えた他の画像通信装置についても、本発明を同様にして適用することができる。
【０１０９】
【発明の効果】
以上説明したように、本発明によれば、着信時に複数のＳＵＢ値を有する信号ＳＵＢを受信し、その複数のＳＵＢ値に対応した全ての受信ボックスが中継ボックスの場合、それらの全ての受信ボックスに登録されている中継宛先について、受信した画情報を中継送信する動作を行うとともに、重複送信不可設定情報に重複送信動作の禁止が登録されている場合には、重複する中継宛先への中継送信動作を１回のみ行うようにしているので、このグループ３ファクシミリ装置のユーザの意図に沿った中継送信動作を行うことができ、非常に便利であるという効果を得る。
【０１１０】
また、中継依頼局側で重複送信を許可するかあるいは禁止するかを指定することができるので、送信ユーザの意図に沿った中継送信動作を行うことができるという効果も得る。
【０１１１】
また、着信時に複数のボックス番号を有する信号ＳＩＤを受信し、その複数のボックス番号に対応した全ての受信ボックスが中継ボックスの場合、それらの全ての受信ボックスに登録されている中継宛先について、受信した画情報を中継送信する動作を行うとともに、重複送信不可設定情報に重複送信動作の禁止が登録されている場合には、重複する中継宛先への中継送信動作を１回のみ行うようにしているので、このグループ３ファクシミリ装置のユーザの意図に沿った中継送信動作を行うことができ、非常に便利であるという効果を得る。
【図面の簡単な説明】
【図１】本発明の一実施例にかかるグループ３ファクシミリ装置の構成例を示したブロック図。
【図２】ボックス管理情報の一例を示した概略図。
【図３】配信用送信ファイル管理情報の一例を示した概略図。
【図４】着信検出時の処理の一例を示したフローチャート。
【図５】着信検出時の処理の一例を示したフローチャート（続き）。
【図６】中継送信処理の一例を示したフローチャート。
【図７】着信検出時の処理の他の例を示したフローチャート。
【図８】着信検出時の処理の他の一例を示したフローチャート（続き）。
【図９】着信検出時の処理のさらに他の例を示したフローチャート。
【図１０】着信検出時の処理のさらに他の例を示したフローチャート（続き）。
【図１１】着信検出時の処理のまたさらに他の例を示したフローチャート。
【図１２】着信検出時の処理のまたさらに他の例を示したフローチャート（続き）。
【符号の説明】
１  システム制御部
２  システムメモリ
【図１】
0003995032.tif 000002
【図２】
0003995032.tif 000003
【図３】
0003995032.tif 000004
【図４】
0003995032.tif 000005
【図５】
0003995032.tif 000006
【図６】
0003995032.tif 000007
【図７】
0003995032.tif 000008
【図８】
0003995032.tif 000009
【図９】
0003995032.tif 000010
【図１０】
0003995032.tif 000011
【図１１】
0003995032.tif 000012
【図１２】
0003995032.tif 000013